(57)【要約】      （修正有）【課題】動画広告提供装置と共に用いられ、消費者の注意を喚起するとともに、消費者の商品への理解を高め、さらには動画広告提供装置等への視聴に結び付けるための表示板及び動画広告表示システムを提供する。【解決手段】動画広告提供装置２と共に用いられ、商品に関する表示がされる表示板１であって、動画広告提供装置の表示画面の周囲に位置し、消費者の視線を表示画面に誘導するための表示がされる視線誘導部３０と、表示画面の周囲であって視線誘導部と異なる箇所に位置し、商品の説明が表示される説明部と、を含む。表示板は、視線誘導部と一体にまたは別体に、消費者の注意を引く表示が表示される注意喚起部１０を含むことが好ましい。【選択図】図１
0003200453.tif 000002
【実用新案登録請求の範囲】
【請求項１】
動画広告提供装置と共に用いられ、商品に関する表示がされる表示板であって、
前記動画広告提供装置の表示画面の周囲に位置し、消費者の視線を前記表示画面に誘導するための表示がされる視線誘導部と、
前記表示画面の周囲であって前記視線誘導部と異なる箇所に位置し、商品の説明が表示される説明部と、を含む
ことを特徴とする表示板。
【請求項２】
請求項１に記載の表示板であって、
前記動画広告提供装置の表示画面の周囲に位置し、消費者の注意を引く表示が表示される注意喚起部を含む
ことを特徴とする表示板。
【請求項３】
請求項２に記載の表示板であって、
前記表示板は、横長に形成された前記注意喚起部の短辺側が縦長に形成された前記説明部の長辺側に接合して形成され、
前記注意喚起部は、前記表示画面に接してその上に位置し、
前記説明部は、前記表示画面に接してその横に位置し、
前記注意喚起部には、少なくとも、当該商品を表示する商品表示、当該商品の使用者を表示する使用者表示及び当該商品が用いられる対象を表示する対象表示のうちのいずれかが表示され、
前記説明部には、数コマで順を追って商品の説明がされている
ことを特徴とする表示板。
【請求項４】
請求項３に記載の表示板であって、
前記説明部は、２〜６コマで商品の説明がされている
ことを特徴とする表示板。
【請求項５】
請求項２〜４のいずれか一項に記載の表示板であって、
前記注意喚起部及び前記説明部は、上記動画広告提供装置において提供される動画広告の内容にあわせて、表示を取り換え可能に形成されている
ことを特徴とする表示板。
【請求項６】
商品に関する表示がされる動画広告表示システムであって、
商品に関する動画広告を提供する動画広告提供装置と、
横長に形成され、消費者の注意を引く表示が表示される注意喚起部と、縦長に形成され、商品の説明が表示される説明部とを含む表示板であって、前記注意喚起部の短辺側が前記説明部の長辺側に接合して形成される表示板と、を備え、
前記注意喚起部は、前記動画広告提供装置の表示画面に接してその上に位置し、
前記説明部は、前記動画広告提供装置の表示画面に接してその横に位置し、
前記注意喚起部には、少なくとも、当該商品を表示する商品表示、当該商品の使用者を表示する使用者表示及び当該商品が用いられる対象を表示する対象表示のうちのいずれかが表示され、
前記説明部には、数コマで順を追って商品の説明がされている
ことを特徴とする動画広告表示システム。
【考案の詳細な説明】
【技術分野】
【０００１】
本考案は、動画広告提供装置用の表示板及び動画広告表示システムに関する。
【背景技術】
【０００２】
店頭における商品広告は、商品を購入する直前の消費者に訴えるもので、消費者の購買意欲を喚起する効果があることで知られている。また、購入する商品が決まっていないまま来店した消費者に特に有効であるとされる。
【０００３】
このように店頭において商品広告を提供するものとして、一般的にＤＶＤ再生機等の動画広告提供装置が用いられる。また、商品毎に付された商品識別コードを認識し、該商品に対応する情報を、映像及び必要に応じて音声で出力するようにした商品案内装置が提案されている（例えば、特許文献１を参照）。
【先行技術文献】
【特許文献】
【０００４】
【特許文献１】特開２００３−１０２６０１号公報
【考案の概要】
【考案が解決しようとする課題】
【０００５】
しかしながら、上記動画広告提供装置は、消費者に気付かれなかったり、気付いても興味を持てずに通り過ぎてしまったりされる場合がある。また、イヤホーンを用いてスマートフォーンやｉＰｏｄ（登録商標）等で音楽を聞きながら店舗を訪れる消費者が増えてきており、このような消費者には動画広告提供装置のみでは視聴に結び付かなくなっている。
【０００６】
一方、上記特許文献１に記載の商品案内表示装置は、消費者の積極的な行動があって成り立つものである。即ち、消費者は商品への理解が少ない状態で、商品の案内を視聴しようとする商品を選択しなければならない。従って、このような商品案内表示装置を用いる場合でも、上記動画広告装置と同様に、まず、消費者にその商品に興味を持たせる必要がある。
【０００７】
本考案は、上記課題を解決するためのもので、動画広告提供装置等と共に用いられ、消費者の注意を喚起するとともに、消費者の商品への理解を高め、さらには動画広告提供装置への視聴に結び付けるための表示板及び動画広告表示システムを提供することを目的とする。
【課題を解決するための手段】
【０００８】
上記課題を解決するために、本考案に係る表示板は、動画広告提供装置と共に用いられ、商品に関する表示がされる表示板であって、前記動画広告提供装置の表示画面の周囲に位置し、消費者の視線を前記表示画面に誘導するための表示がされる視線誘導部と、前記表示画面の周囲であって前記視線誘導部と異なる箇所に位置し、商品の説明が表示される説明部と、を含む。
【０００９】
また、前記動画広告提供装置の表示画面の周囲に位置し、消費者の注意を引く表示が表示される注意喚起部を含んでもよい。
【００１０】
また、前記表示板は、横長に形成された前記注意喚起部の短辺側が縦長に形成された前記説明部の長辺側に接合して形成され、前記注意喚起部は、前記表示画面に接してその上に位置し、前記説明部は、前記表示画面に接してその横に位置し、前記注意喚起部には、少なくとも、当該商品を表示する商品表示、当該商品の使用者を表示する使用者表示及び当該商品が用いられる対象を表示する対象表示のうちのいずれかが表示され、前記説明部には、数コマで順を追って商品の説明がされていてもよい。
【００１１】
また、前記説明部は、２〜６コマで商品の説明がされていてもよい。
【００１２】
また、前記注意喚起部及び前記説明部は、上記動画広告提供装置において提供される動画広告の内容にあわせて、表示を取り換え可能に形成されていてもよい。
【００１３】
また、本考案に係る動画広告表示システムは、商品に関する表示がされる動画広告表示システムであって、商品に関する動画広告を提供する動画広告提供装置と、横長に形成され、消費者の注意を引く表示が表示される注意喚起部と、縦長に形成され、商品の説明が表示される説明部とを含む表示板であって、前記注意喚起部の短辺側が前記説明部の長辺側に接合して形成される表示板と、を備え、前記注意喚起部は、前記動画広告提供装置の表示画面に接してその上に位置し、前記説明部は、前記動画広告提供装置の表示画面に接してその横に位置し、前記注意喚起部には、少なくとも、当該商品を表示する商品表示、当該商品の使用者を表示する使用者表示及び当該商品が用いられる対象を表示する対象表示のうちのいずれかが表示され、前記説明部には、数コマで順を追って商品の説明がされている。
【考案の効果】
【００１４】
本考案によれば、動画広告提供装置と共に用いられ、消費者の注意を喚起するとともに、消費者の商品への理解を高め、さらには動画広告提供装置等への視聴に結び付けるための表示板及び動画広告表示システムを提供することができる。
【図面の簡単な説明】
【００１５】
【図１】実施形態１に係る表示板を示す図である。
【図２】実施形態１に係る表示板の適用例を示す図である。
【図３】実施形態１に係る表示板を示す図である。
【図４】実施形態１の他の例に係る表示板を示す図である。
【考案を実施するための形態】
【００１６】
以下、図面を参照して本願に係る表示板の実施形態の例を説明する。以下では、動画広告提供装置に用いられる例を説明するが、これに限定されるものではなく、商品案内表示装置等に用いられてもよい。
【００１７】
＜実施形態１＞
図１は、実施形態１に係る表示板１を示す図で、図１（ａ）はその正面図、図１（ｂ）は表示板１を動画広告提供装置に取り付けた状態（動画広告表示システム）を示す図である。
【００１８】
表示板１は、板状の部材により形成される。表示板１には、例えば板紙が用いられる。表示板１は、横長に形成された注意喚起部１０と、縦長に形成された説明部２０とを備える。表示板１は、注意喚起部１０の短辺側が説明部２０の長辺側に接合して、当接部（角部）１３が形成される。使用状態では、この当接部１３が動画広告提供装置２の表示画面（スクリーン部分）に当接する。これによって、図１（ｂ）に示すように、注意喚起部１０は、動画広告提供装置２に接してその上に位置され、説明部２０は、動画広告提供装置２に接してその横に位置される。
【００１９】
動画広告提供装置２は、動画再生が可能な電子機器であり、例えばポータブルＤＶＤプレイヤーである。
【００２０】
注意喚起部１０は、略長方形状の本体部１１と、本体部１１の長辺の一部から延出して形成される延出部１２とを含む。図１において、延出部１２は、半円形状のものを示しているが、これに限定されるものではなく、三角形状や、四角形状等であってもよい。
【００２１】
表示板１は、これが用いられる動画広告提供装置や設置場所等を考慮して適宜な大きさとすることができる。一例として、注意喚起部１０を、長辺を２１０ｍｍ〜２７０ｍｍ、短辺を６０ｍｍ〜９０ｍｍ、延出部１２の半径を４５ｍｍ〜７５ｍｍの範囲内に、説明部２０を、長辺を２８０ｍｍ〜３４０ｍｍの範囲に、当接部３０を、注意喚起部側を２１０ｍｍ〜２７０ｍｍ、説明部側を１４５ｍｍ〜２０５ｍｍの範囲内に形成することができる。
【００２２】
注意喚起部１０には、少なくとも、商品を表示する商品表示ｇ、商品の使用者を表示する使用者表示ｕ及び商品が用いられる対象を表示する対象表示ｖのうちのいずれかが表示される。また、本体部１１から延出部１２に跨る部分には、上記表示のうち特に消費者に注目されやすいものが配置される。なお、使用者表示ｕは、代表的な使用者ないし使用者の一例を表示するものであればよい。また、対象表示ｖは、当該商品が用いられる代表的な対象ないし対象の一例を表示するものであればよい。
【００２３】
商品表示ｇ、使用者表示ｕ及び対象表示ｖには、再剥離紙を用いることができる。商品表示ｇ、使用者表示ｕ及び対象表示ｖは、それぞれ別体に表示されてもよいし、一体に表示されてもよい。再剥離紙を用いることによって、動画広告の内容に合わせて、簡便に所定の商品、使用者、対象に合わせた商品表示ｇ、使用者表示ｕ及び対象表示ｖに取り替えることができる。
【００２４】
説明部２０は、商品表示ｇ、使用者表示ｕ及び対象表示ｖのうちの少なくとも一つを含めて数コマで順を追って商品の説明がされている。例えば、説明部２０には、２〜６コマで商品の説明がされている。図１に示すように、一例として、説明部２０は、第１説明部２１、第２説明部２２、第３説明部２３及び第４説明部２４の４つの説明部で４コマで説明がさている。
【００２５】
例えば、第１説明部２１には、商品表示ｇを含めて、商品の構成上の特徴を説明することができる。第２説明部２２には、商品表示ｇ、使用者表示ｕ及び対象表示ｖを含めて、使用者が当該商品を作業対象に用いた作業状態を説明することができる。第３説明部２３には、商品表示ｇを含めて、当該商品が用いられる様々な対象を説明することができる。第４説明部２４には、商品表示ｇ及び対象表示ｖを含めて、当該商品の効果を説明することができる。
【００２６】
各説明部２１〜２４に表示される説明には、例えば再剥離紙が用いられる。再剥離紙を用いることによって、動画広告の内容に合わせて、所定の商品、使用者、対象に合わせた説明を簡便に取り替えることができる。
【００２７】
図２は、表示板１の適用例を示すもので、商品ピーラーの動画広告に適用される例である。まず、注意喚起部１０には、主婦である使用者表示ｕが、本体部１１及び延出部１２を跨って大きく表示される。これによって、ピーラーを購入する最大の消費者層である主婦に注目されやすくなる。次に、商品ピーラーの表示ｇ及び対象キャベツの表示ｖが表示され、これによって、商品及び対象（用途）が一目瞭然になる。
【００２８】
次に、説明部２０の第１説明部２１には、ピーラーを表示してその特徴の説明が表示され、第２説明部２２には、主婦及びピーラー、キャベツを表示して当該商品を用いた作業状態の説明がされ、第３説明部には、ピーラーを表示して大根等の野菜にも適用されることの説明がされ、第４説明部には、ピーラー及びキャベツを表示してピーラーの効果の説明がされている。これによって、使用者、商品、対象をすでに把握した消費者は、さらに、これらの表示を含む漫画形式の説明によって商品の特徴や使用態様等を容易に知り得ることができる。
【００２９】
すなわち、消費者は、まず、動画広告提供装置の上に位置する注意喚起部によって注意が喚起される。例えば、本実施形態においては、この段階で消費者には、大きく表示された使用者表示やそれと並んで表示された商品表示、対象表示に注意が喚起され、それと同時に、あまり意識されないまま商品やその使用者、用途（対象）が記憶される。次に、視線の流れで、自然と横に位置する説明部を読むようになる。この説明部の説明を読むことによって、商品の特徴や使用方法等のへの理解が高まる。商品について興味が湧き、商品についての理解も十分であると思われる消費者はここで購買行動に移ることになる。一方、さらに、詳細な説明を求める消費者は、自然と動画提供装置を視聴することになり、動画提供装置の視聴へ結び付けることができる。
【００３０】
ここで、表示板１は、さらに、消費者の視線を動画広告提供装置の表示画面に誘導するための表示がされる視線誘導部３０を含んでもよい。視線誘導部３０は、注意喚起部と一体に構成されてもよいし、別体に構成されてもよい。ここでは、図２、図３を用いて、視線誘導部３０を注意喚起部１０と一体に構成する例を説明する。
【００３１】
本実施形態では、消費者の視線を動画広告提供装置の表示画面に誘導するための表示は、使用者表示ｕである。具体的には、図３（ａ）の使用者表示ｕの拡大表示のように、使用者表示ｕの目線が下方に向かっており、この下方に動画広告提供装置が位置するため、これを見た消費者も自然に動画広告提供装置に視線が誘導される。
【００３２】
また、図３（ｂ）に示すように、使用者表示ｕは、目線を下方に向かせるに加えて、下方に向ける姿勢を含むようにしてもよい。これによって、消費者の視線は、さらにその下方に位置する動画広告提供装置の表示画面に誘導されやすくなる。
【００３３】
また、消費者の視線を動画広告提供装置の表示画面に誘導するための表示は、矢印の表示やその他の表示であってもよい。また、これらの表示が表示される視線誘導部は、注意喚起部とは、別体に構成されてもよい。
【００３４】
このように、視線誘導部を備えることによって、さらに、動画広告提供装置の視聴に結び付きやすくなる。
【００３５】
なお、以上では、注意喚起部（視線誘導部）が動画広告提供装置の表示画面の上に接して位置し、説明部が動画広告表示画面の横に接して位置する例を説明したが、これに限定するものではなく、注意喚起部（視線誘導部）及び説明部は、それぞれ動画広告提供装置の表示画面の周囲に位置すればよい。例えば、注意喚起部（視線誘導部）を動画広告提供装置の表示画面の横に位置させ、説明部を動画広告提供装置の表示画面の上に位置させることもできる。また、これらは、動画広告提供装置の表示画面と所定の間隔を置いて配置されてもよい。
【００３６】
＜実施形態１の変形例１＞
図４（ａ）は、実施形態１の変形例１に係る表示板１ａを示す図である。表示板１ａは、さらに、説明部２０と同様に構成される補助説明部４０を含む。補助部４０は、説明部２０と背中合わせに密着して形成されてもよいし、互いに支え合うように所定の角度をなすように形成されてもよい。また、説明部２０及び補助説明部４０との間に底板５０を含むように形成されてもよい。表示板１ａは、補助説明部４０を含むことによって、動画広告提供装置の背後にいる消費者にも働きかけて動画広告提供装置の視聴に結び付けることができる。
【００３７】
また、表示板１ａは、注意喚起部１０と説明部との接合部１４を軸に、注意喚起部１０が説明部２０に対して回動できるように形成されてもよい。これによって、さまざまな角度から、注意喚起部１０が見えるようになり、消費者に働きかけやすくなる。
【００３８】
＜実施形態１の変形例２＞
図４（ｂ）は、実施形態１の変形例２に係る表示板１ｂを示す図である。表示板１ｂは、注意喚起部１０ｂが略正方形に形成され、本体部１１を切り抜いて切抜き窓１５が形成される。表示板１ｂは、この切抜き窓１５において動画広告提供装置と当接する。これによって、設置場所が限られた場合等にも対応できる。
【００３９】
以上、本考案に係る動画広告提供装置等用の表示板の実施形態について説明したが、これらは本考案の実施形態の一例に過ぎず、本考案はこれらに限定されるものではない。本考案には、以上の各実施形態を組み合わせた形態や、様々な変形例が含まれる。
【符号の説明】
【００４０】
１、１ａ、１ｂ                          表示板
１０、１０ｂ                            注意喚起部
２０                                    説明部
３０                                    視線誘導部
４０                                    補助説明部
２                                      動画広告提供装置
【図１】
0003200453.tif 000003
【図２】
0003200453.tif 000004
【図３】
0003200453.tif 000005
【図４】
0003200453.tif 000006